(57)【要約】【課題】背中を立てて座った姿勢や、背中を後方に反らせたリラックスした姿勢で入浴でき、背中を後方に反らせた姿勢のうち、背中の中央部を側壁に凭れかけて体をやや起こして座った姿勢及び、背中の上部を側壁に凭れかけて体を浴槽内に沈み込ませて仰向けとなった姿勢の両方共に脚を伸ばして足裏を足先側の側壁に当てて姿勢を維持しながら入浴できる浴槽を提供する。【解決手段】頭部側壁１７を、浴槽部４の底部１４の頭部Ｈ側の一端から上方に立ち上げた腰当て部１９と、腰当て部１９の上端から頭部Ｈ側斜め上方に突出した背凭れ部２０とで構成する。足先側壁１８を、浴槽部４の底部１４から上方に立ち上げた下側足裏当て部２１と、下側足裏当て部２１から足先Ｉ側に突出した足載せ部２２と、足載せ部２２の足先Ｉ側の端部から上方に突出した上側足裏当て部２３とで構成する。【選択図】        図１
2007135638.tif 000002
【特許請求の範囲】
【請求項１】
平面視で一方向に長い浴槽部を備え、該浴槽部の長手方向の一端側を頭部側、他端側を足先側と定義し、頭部側の側壁である頭部側壁を、浴槽部の底部の頭部側の一端から上方に立ち上げた腰当て部と、腰当て部の上端から頭部側斜め上方に突出した背凭れ部とで構成し、足先側の側壁である足先側壁を、浴槽部の底部から上方に立ち上げた下側足裏当て部と、下側足裏当て部から足先側に突出した足載せ部と、足載せ部の足先側の端部から上方に突出した上側足裏当て部とで構成して成ることを特徴とする浴槽。
【請求項２】
平面視で長方形状をした浴室ユニットにおいて、前記長方形の一方の短辺の巾方向の１／２の位置よりも一方の長辺側にずらした位置から、上記他方の短辺の巾方向の１／２の位置よりも他方の長辺側にずらした位置に至る仮想分割線で浴室ユニットを分割して、一方の短辺側の巾が広く且つ他方の短辺側の巾が狭くなった浴槽と、一方の短辺側の巾が狭く且つ他方の短辺側の巾が広くなった洗い場と分割して成り、浴槽として請求項１の浴槽を備え、該浴槽を前記浴室ユニットの一方の長辺と平行な方向に長く且つ巾が広くなった一方の短辺側を頭部側として成ることを特徴とする浴室ユニット。
【発明の詳細な説明】
【技術分野】
【０００１】
本発明は浴槽及び浴室ユニットに関する。
【背景技術】
【０００２】
例えば特許文献１に示すような一般的な浴槽にあっては浴槽部の一側壁を略垂直に立ち上げており、この浴槽に入浴する場合、通常前記略垂直に立ち上げた一側壁に腰を当てて座った姿勢で入浴する。しかしこの浴槽にあっては前記一側壁が傾斜していないため、背中を後方に反らせたリラックスした姿勢で入浴できないという問題がある。
【０００３】
また浴槽部の頭部側の側壁を傾斜させた浴槽もあり、この浴槽にあっては頭部側の側壁に背中を凭れかけて傾斜させた姿勢で座ったり仰向けとなったりできる。しかしこの浴槽にあっては頭部側の側壁に腰を当てて背中を立てた姿勢で座ることができない。また足先側の側壁には足を載せる部分がないため、頭部側の側壁に背中を凭れかけた姿勢となった時に足を浴槽の底面よりも上方の部分に載せるといったよりリラックスした姿勢となれない。また頭部側の傾斜した側壁に背中を凭れかけた場合にこの姿勢を容易に維持できるようにするには足先側の側壁に足裏を当てる必要がある。しかし前記頭部側の傾斜した側壁に背中を凭れかけた姿勢には、背中の中央部を側壁に凭れかけて体をやや起こして座った姿勢と、背中の上部を側壁に凭れかけて体を浴槽内に沈み込ませて仰向けとなった姿勢とがあり、この場合、仰向けの姿勢では前記体をやや起こして座った姿勢よりも足先が頭部側の側壁からより離れた箇所に位置することとなって、各姿勢における足先の位置が異なるため、前記２姿勢共に足裏を足先側の側壁に当てることは難しかった。従って頭部側の側壁に背中を凭れかけた場合に、この姿勢を維持するために足裏を足先側の側壁に当てることができなかったり、また脚を曲げて窮屈な姿勢となる場合があった。
【０００４】
また従来の設置スペースが狭い浴室ユニットにあっては浴槽の長手方向の間隔を十分に確保することができず、従って上記のように仰向けとなる姿勢のようにリラックスした姿勢をとることができなかった。
【０００５】
例えば特許文献２には設置スペースが狭い（例えば０．７５坪）場所に設置する浴室ユニットが開示されている。このものは図９に示すように、平面視で長方形状をした浴室ユニットを長手方向に略２分して一方の短辺側に片寄った部分を浴槽、他方の短辺側に片寄った部分を洗い場としている。この場合、浴槽に設けた浴槽部の長辺側の寸法Ａを長く取ることができず、このため、入浴に当たっては浴槽部内の底面の一端部付近に座って背中を立てた状態で膝を折り曲げるという窮屈な姿勢で入浴しなけらばならず、足を伸ばしたり、背中を後に反らせ頭部を浴槽部の上縁部に凭れかけるというようなリラックスした姿勢で入浴することができいという問題があった。また、この従来例においては、浴室ユニットので出入口部は図９（ａ）や図９（ｂ）に示すように、短辺側、又は長辺側の片側半分にしか設けることができず、上記のように設置スペースが狭い場合、出入口部として巾の狭いドア（例えば０．７５坪の場合は巾８００ｍｍのドア）しか取付けることができず、巾の広いドアを取付けることができないという問題があった。
【特許文献１】特開２００３−２７５１１９号公報
【特許文献２】特開２００３−２６０００３号公報
【発明の開示】
【発明が解決しようとする課題】
【０００６】
本発明は上記従来の問題点に鑑みて発明したものであって、背中を立てて座った姿勢や、背中を後方に反らせたリラックスした姿勢で入浴でき、しかも背中を後方に反らせた姿勢のうち、背中の中央部を側壁に凭れかけて体をやや起こして座った姿勢及び、背中の上部を側壁に凭れかけて体を浴槽内に沈み込ませて仰向けとなった姿勢の両方共に脚を伸ばして足裏を足先側の側壁に当てて姿勢を維持しながら入浴できる浴槽を提供することを課題とするものであり、また別の目的とするところは浴槽、洗い場の双方を使い勝手良く且つコンパクトに配置して、狭いスペースであっても、リラックスした姿勢で入浴が可能な浴槽と、身体を洗うのに十分な広さを確保できる洗い場とを備えることができる浴室ユニットを提供することを課題とするものである。
【課題を解決するための手段】
【０００７】
上記課題を解決するために本発明に係る浴槽は、平面視で一方向に長い浴槽部４を備え、該浴槽部４の長手方向の一端側を頭部Ｈ側、他端側を足先Ｉ側と定義し、頭部Ｈ側の側壁である頭部側壁１７を、浴槽部４の底部１４の頭部Ｈ側の一端から上方に立ち上げた腰当て部１９と、腰当て部１９の上端から頭部Ｈ側斜め上方に突出した背凭れ部２０とで構成し、足先Ｉ側の側壁である足先側壁１８を、浴槽部４の底部１４から上方に立ち上げた下側足裏当て部２１と、下側足裏当て部２１から足先Ｉ側に突出した足載せ部２２と、足載せ部２２の足先Ｉ側の端部から上方に突出した上側足裏当て部２３とで構成して成ることを特徴とするものである。
【０００８】
上記構成を有することで、入浴者Ｊは図２のように腰当て部１９に腰を当てて背中を立てた状態で入浴したり、図３のように背凭れ部２０に背中の中央部を凭れさせ、且つ脚を伸ばして足裏を下側足裏当て部２１に当てた状態で入浴したり、図４のように背凭れ部２０に背中の上部を凭れさせ、且つ足載せ部２２に足を載せた仰向け状態で入浴したりでき、入浴者Ｊの好みの入浴姿勢をとることができる。
【０００９】
また本発明に係る浴室ユニットは、平面視で長方形状をした浴室ユニットＹにおいて、前記長方形の一方の短辺Ａの巾方向の１／２の位置よりも一方の長辺Ｃ側にずらした位置から、上記他方の短辺Ｂの巾方向の１／２の位置よりも他方の長辺Ｄ側にずらした位置に至る仮想分割線Ｅで浴室ユニットＹを分割して、一方の短辺Ａ側の巾が広く且つ他方の短辺Ｂ側の巾が狭くなった浴槽１と、一方の短辺Ａ側の巾が狭く且つ他方の短辺Ｂ側の巾が広くなった洗い場２と分割して成り、浴槽１として請求項１の浴槽を備え、該浴槽１を前記浴室ユニットＹの一方の長辺Ｃと平行な方向に長く且つ巾が広くなった一方の短辺Ａ側を頭部Ｈ側として成ることを特徴とするものである。
【００１０】
このような構成とすることで、狭いスペースに設置する浴室ユニットＹであっても、浴槽１は一方の短辺Ａ側の巾が広く且つ他方の短辺Ｂ側の巾が狭くなっていることで、巾の広い方を巾の広い肩が位置する頭部Ｈ側、巾の狭い方を巾の狭くてもよい足先Ｉ側とすることで、足を伸ばしたり、背中を後に反らせ頭部を浴槽部４の上縁部に凭れかけるというようなリラックスした姿勢で入浴できると共に、洗い場２は一方の短辺Ａ側の巾が狭く且つ他方の短辺Ｂ側の巾が広くなっていることで、巾が広くなった方で身体を洗うことで身体を洗うのに十分なスペースを確保できる。さらにこの浴室ユニットＹの浴槽１を請求項１に記載の浴槽とすることで、狭いスペースに設置した浴槽１でありながら、図２〜４に示す好みの姿勢で入浴できる。
【発明の効果】
【００１１】
本発明の浴槽にあっては、腰当て部に腰を当てて背中を立てた状態で入浴したり、背凭れ部に背中の中央部を凭れ、且つ脚を伸ばして足裏を下側足裏当て部に当てた状態で入浴したり、背凭れ部に背中の上部を凭れ、且つ足載せ部に足を載せた仰向け状態で入浴したりでき、入浴者の好みの姿勢で入浴できる。
【００１２】
また本発明の浴室ユニットにあっては、狭いスペースに設置する浴室ユニットであっても、浴槽、洗い場の双方を使い勝手良く且つコンパクトに配置して、リラックスした姿勢で入浴が可能であると共に身体を洗うのに十分な広さを確保できる。さらにこの浴室ユニットの浴槽を請求項１に記載の浴槽とすることで、狭いスペースに設置した浴槽でありながら前述したような好みの姿勢で入浴できる。
【発明を実施するための最良の形態】
【００１３】
以下、本発明を添付図面に示す実施形態に基いて説明する。
【００１４】
まず図５乃至図８に基づいて本発明の浴槽１を備えた浴室ユニットＹについて説明する。浴室ユニットＹは設置スペースが狭い（例えば０．７５坪）箇所に設置されるもので、平面視長方形状をしている（例えば、平面視で短辺Ａ、Ｂがそれぞれ８９３ｍｍ、長辺Ｃ、Ｄが１６５０ｍｍとなっている）。
【００１５】
浴室ユニットＹは、図８の模式図に示すように、平面視で長方形の一方の短辺Ａの巾方向の１／２の位置よりも一方の長辺Ｃ側にずらした位置から、他方の短辺Ｂの巾方向の１／２の位置よりも他方の長辺Ｄ側にずらした位置に至る仮想分割線Ｅで浴室ユニットＹを２つのエリアＦ、Ｇに分割してあり、一方のエリアＦは、一方の短辺Ａ側の巾が広く且つ他方の短辺Ｂ側の巾が狭くなった浴槽１が配置され、他方のエリアＧは、一方の短辺Ａ側の巾が狭く且つ他方の短辺Ｂ側の巾が広くなった洗い場２が配置される。
【００１６】
上記のように浴槽１側と洗い場２側とを仮想分割線Ｅにより分割するのであるが、仮想分割線Ｅに沿ってエプロン５が配置される。
【００１７】
浴槽１は、上方が開口した槽である浴槽部４の上端開口縁の周囲に略水平なフランジ部６を設けて構成してある。浴槽部４は平面視略台形状をしており、一方の短辺Ａに近い方の台形の下底側が槽の巾が広くなっており、また、他方の短辺Ｂに近い方の台形の上底側が槽の巾が狭くなっており、頭部Ｈ側から足先Ｉ側に行く程槽の幅が徐々に狭くなっている。ここで浴槽部４の上記槽の巾の広い方（即ち長手方向の一端側）が入浴時に入浴者Ｊの頭部が位置する頭部Ｈ側、槽の巾が狭い方（即ち長手方向の他端側）が入浴時に足先が位置する足先Ｉ側と定義する。浴槽部４の頭部Ｈ側の側壁及び足先Ｉ側の側壁は平面視で上記長方形の浴室ユニットＹの一方の短辺Ａに対して一方の長辺Ｃ側に行くほど一方の短辺Ａから離れるように傾斜しており、このため、浴槽１のフランジ部６のうち一方の短辺Ａ側のフランジ部６である頭部側フランジ部６ａは洗い場２側に行く程巾広となっている。
【００１８】
浴槽１は長辺Ｄに沿っているため、浴槽部４は長辺Ｄに沿う方向に長く形成できる（例えば、約１３００ｍｍ）。しかし浴槽１は長辺Ｄに沿っているため上記のように浴槽部４の長さを長く取っても更に余裕があり、このため、浴槽１のフランジ部６のうち他方の短辺Ｂ側のフランジ部６である足先側フランジ部６ｂは長辺Ｄに沿った方向の寸法が長くなっている。
【００１９】
また、浴槽部４の頭部Ｈ側は一方の短辺Ａに近い浴槽１の巾広側であり、且つ、該浴槽１の巾広側は上記一方の短辺Ａの１／２以上の巾であるため、浴室ユニットＹが狭い設置スペースに設置するタイプで一方の短辺Ａの巾寸法が短いものであっても、浴槽部４の頭部Ｈ側に入浴者Ｊの頭部が位置し且つ足先が足先Ｉ側に位置するような姿勢で入浴することで、入浴者Ｊの肩、臀部等が位置する部分の槽の巾を十分に確保することができるようになっている。ちなみに、上記例で浴槽部４の頭部Ｈ側の巾は例えば約６００ｍｍ程度は確保でき、成人の大人の臀部、肩等を余裕を持って配置できる。一方、浴槽部４の足先Ｉ側の巾は狭い（例えば、約２２０ｍｍ）がこの部分は入浴者Ｊの足先が位置するだけでよいので、巾が狭くても問題はない。
【００２０】
添付図面に示す実施形態では、浴槽１を配設するエリアＦと洗い場２を配設するエリアＧとを区分けする前記仮想分割線Ｅのうち図５に示すように、浴槽部４の長手方向の大部分に沿った部分は平面視長方形状をした浴室ユニットＹの長方形の長辺Ｃ、Ｄに対して傾斜しているが、該仮想分割線Ｅのうち他方の短辺Ｂ側に近い方の部分は長辺Ｃ、Ｄと略平行となっている。
【００２１】
上記仮想分割線Ｅの他方の短辺Ｂ側に近い方の長辺Ｃ、Ｄと略平行となった部分の寸法は上記足先側フランジ部６ｂの長辺Ｃ、Ｄに沿った方向の寸法よりも長く（つまり浴槽部４の足先Ｉ側の端部は仮想分割線Ｅの浴室ユニットＹの長方形の長辺Ｃ、Ｄに対して傾斜した部分よりも短辺Ｂ側に位置している）、このため、図５に示すようにフランジ部６のうち浴槽部４の上開口の洗い場側の縁部とエプロン５（仮想分割線Ｅ）との間のフランジ部６である洗い場側フランジ部６ｃの他方の短辺Ｂ側に片寄った部分は洗い場側フランジ部６ｃの他の部位よりも巾広となった平面視で略三角形をした洗い場側巾広フランジ部６ｃ’となっており、この洗い場側巾広フランジ部６ｃ’が足先側フランジ部６ｂに連続している。そして、上記洗い場側巾広フランジ部６ｃ’に首振り用吐水金具８が平面視で回動自在に取付けてあり、首振り用吐水金具８を浴槽部４側に回動して洗い場側巾広フランジ部６ｃ’より浴槽部４側に突出させて浴槽部４に給水（給湯）したり、あるいは、洗い場２側に回動して洗い場側巾広フランジ部６ｃ’よりも洗い場２側に突出させて洗い場２側に給水（給湯）したりできるようになっている。ここで、上記のように首振り用吐水金具８を洗い場側巾広フランジ部６ｃ’に設けることで、洗い場側フランジ部６ｃのうち巾広となった部分を有効に利用して首振り用吐水金具８を取付けることができて、風呂蓋９をフランジ部６に載置する際に首振り用吐水金具８の取付け部分に邪魔されることなく風呂蓋９で浴槽部４を閉じることができ、また、足先側フランジ部６ｂよりも他方の短辺Ｂから離れている洗い場側巾広フランジ部６ｃ’に首振り用吐水金具８を取付けることで、他方の短辺Ｂからできるだけ離して首振り用吐水金具８を取付けることができる。
【００２２】
洗い場２は床パンにより構成してあり、前述のように洗い場２の巾広側である他方の短辺Ｂ側は上記他方の短辺Ｂの１／２以上の巾であるため、浴室ユニットＹが狭い設置スペースに設置するタイプで他方の短辺Ｂの巾寸法が短いものであっても、洗い場２の他方の短辺Ｂ側は身体を動かして洗うのに十分な巾を確保でき（例えば上記実施形態では約７８０ｍｍ程度確保でき）、しかも、上記のように洗い場側巾広フランジ部６ｃ’に首振り用吐水金具８に取付けた首振り用吐水金具８は洗い場２の巾広となった部分に対向すると共に足先側フランジ部６ｂよりも他方の短辺Ｂから離れているので、洗い場２の巾広となった部分で身体を洗う際に、洗い場側巾広フランジ部６ｃ’に設けた首振り式吐水金具８側を向くように座って身体を洗う動作を行なうことで、首振り用吐水金具８から吐水される湯水で顔を洗ったり、首振り用吐水金具８から吐水される湯水を洗面器に溜めたり、該洗面器に溜めた湯水を利用して身体を洗ったりする動作が無理無く楽に行えることになる。
【００２３】
浴槽部４の底部１４の足先Ｉ側の端部には浴槽排水口１０が設けてあり、洗い場２の上記浴槽排水口１０及び首振り用吐水金具８の近くの部位には洗い場側排水口１１が設けてある。洗い場側排水口１１には排水トラップ（図示せず）が取付けられ、排水トラップに排水管が接続してある。浴槽１は浴槽載置床パン（図示せず）に載置され、浴槽載置床パンの浴槽部４の浴槽排水口１０の直下位置に排水部を設け、浴槽排水口１０からの排水が排水部に流れるようになっており、該排水部と上記排水トラップとが接続管により接続してある。ここで、上記のように浴槽排水口１０と洗い場側排水口１１とが近づけて配置してあるので、排水部と排水トラップとを接続する配管が短くてすみ、更に、首振り用吐水金具８の近くに洗い場側排水口１１に設けてあるので、首振り用吐水金具８から流れた湯水が洗い場２に流れても該湯水が洗い場２上を流れる距離を短くできることになる。
【００２４】
浴室ユニットＹには洗い場２に面した一方の長辺Ｃに沿って出入口部３が設けてある。この出入口部３は洗い場２に面した上記一方の長辺の他方の短辺側にずれた位置に設けてあって、出入口部３が洗い場２の巾広となった部分に対向し、狭い設置スペースに配置する狭い浴室ユニットＹであっても、洗い場２の巾広となった部分に出入することができて、スムーズに出入ができるようになっている。
【００２５】
また、上記のように洗い場２に面した上記一方の長辺Ｃ側に出入口部３を設けるので、出入口部３の巾を広く取ることができ、３枚引戸よりなる出入口部３を設けることができ、狭いスペースに設置する浴室ユニットＹであっても、巾の広い３枚引戸を出入口部に設置できて出入用開口を広く取ることが可能となる。
【００２６】
浴室ユニットＹの一方の短辺Ａ側の洗い場２の巾狭部分に対応する位置には蓋収納部１２が設けてあり、浴槽１の上に載置して浴槽部４の上開口を閉じるための複数に分割した風呂蓋９を収納することができるようになっている。蓋収納部１２は下支持部１２ａと上支持部１２ｂとを備え、下支持部１２ａはフランジ部６と同じレベルとなっており、蓋収納部１２の下支持部１２ａに載設支持した風呂蓋９の一部が図５、図７に示すようにフランジ部６上にも載設支持されるようになっている。
【００２７】
また、浴室ユニットＹの他方の短辺Ｂの浴槽１に対応する部分には図５、図７に示すようにシャワーホース１３の一端部が取付けてある。取付け位置は浴室ユニットＹの壁パネルに取付けてもよく、あるいは、足先側フランジ部６ｂに取付けてもよい。このように浴室ユニットＹの他方の短辺Ｂの浴槽１に対応する部分にはシャワーホース１３の一端部を取付けても、前述のように足先側フランジ部６ｂの長辺Ｃ方向の寸法が長く取れるので、この足先側フランジ部６ｂの上方の空間を利用してシャワーホース１３の収納、あるいは使用の際の洗い場２側への引出し等ができる。
【００２８】
図５に上記浴室ユニットＹにおける浴槽１の断面図を示す。浴槽部４はその長手方向が前記仮想分割線Ｅの傾斜した部分と平行であり、略水平な底部１４と、底部１４の短手方向の両側から立ち上げた側壁１５と、頭部Ｈ側の側壁である頭部側壁１７と、足先Ｉ側の側壁である足先側壁１８とからなる。なお底部１４は浴槽排水口１０側程下方に位置するように若干の水勾配をつけているものとする。
【００２９】
頭部側壁１７は、底部１４の頭部Ｈ側の一端から立ち上げた下半部の腰当て部１９と、腰当て部１９の上端から頭部Ｈ側斜め上方に向けて突出した上半部の背凭れ部２０とで構成してある。ここで腰当て部１９は略鉛直上向きに立ち上げており（詳しくは鉛直方向に対して５°程度傾斜している）、また背凭れ部２０は鉛直方向に対して２５°程度傾斜している。また底部１４と腰当て部１９でなすコーナー部は弧状に屈曲している。また頭部側フランジ部６ａを前記背凭れ部２０の上端から頭部Ｈ側に向けて水平に突出している。
【００３０】
足先側壁１８は、底部１４から略鉛直上方に立ち上げた下側足裏当て部２１と、下側足裏当て部２１から略水平に足先Ｉ側に突出した足載せ部２２と、足載せ部２２の足先Ｉ側の端部から略鉛直上向きに突出した上側足裏当て部２３とで構成している。詳しくは下側足裏当て部２１は鉛直方向に対して５°程度傾斜し、足載せ部２２は水平に対して１５°程度傾斜し、上側足裏当て部２３は鉛直方向に対して１０°程度傾斜している。ここで足載せ部２２は上下方向の略中間部に位置している。また底部１４と下側足裏当て部２１でなすコーナー部は弧状に屈曲している。また足先側フランジ部６ｂを前記上側足裏当て部２３の上端から頭部Ｈ側に向けて水平に突出している。
【００３１】
また両サイドの側壁１５の頭部Ｈ側には上下方向の略中間部に肘掛けとなる横面部２４を形成している。
【００３２】
このように本発明では頭部側壁１７を、浴槽部４の底部１４の頭部Ｈ側の一端から上方に立ち上げた腰当て部１９と、腰当て部１９の上端から頭部側斜め上方に突出した背凭れ部２０とで構成し、足先側壁１８を、浴槽部４の底部１４から上方に立ち上げた下側足裏当て部２１と、下側足裏当て部２１から足先Ｉ側に突出した足載せ部２２と、足載せ部２２の足先Ｉ側の端部から上方に突出した上側足裏当て部２３とで構成したので、図２〜４に示す３種類の姿勢で入浴できるようになっている。
【００３３】
図２で入浴者Ｊは腰当て部１９に腰を当てた状態で底部１４の頭部Ｈ側の端部に臀部を載置して座っている。この姿勢では背中を背凭れ部２０から足先Ｉ側に離しており、脚を伸ばした状態で足裏を下側足裏当て部２１よりも頭部Ｈ側に位置させている。また背中の上部から頭部にかけてフランジ部６よりも上方に位置させている。この姿勢では背中を立てて背筋を伸ばした姿勢で入浴できる。
【００３４】
図３で入浴者Ｊは背凭れ部２０に背中の中央部を凭れかけた状態で底部１４の頭部Ｈ側の端部よりもやや足先側の位置に臀部を載せて座っている。この姿勢では腰を腰当て部１９から足先Ｉ側に離しており、脚を伸ばした状態で足裏を下側足裏当て部２１に当てている。また首から頭部にかけてフランジ部６よりも上方に位置させている。この姿勢では背中をやや頭部Ｈ側に反らせて傾斜させたリラックスした姿勢で入浴できる。
【００３５】
図４で入浴者Ｊは背凭れ部２０に背中の上部を凭れかけた状態で底部１４の前記図３の臀部を載せた部分よりもさらに足先Ｉ側の位置に臀部を載せて仰向け姿勢となっている。この姿勢では腰を腰当て部１９から図３よりもさらに足先Ｉ側に離している。また片方の脚を伸ばした状態でその足裏を上側足裏当て部２３に当てると共に、足を足載せ部２２に載せている。また他方の足を屈曲した状態でその足裏を下側足裏当て部２１に当てている。さらに頭部を頭部側フランジ部６ａ上に載せて枕のように利用している。この姿勢では背中を図３よりもさらに倒したよりリラックスした姿勢で入浴できる。
【図面の簡単な説明】
【００３６】
【図１】本発明の浴槽の側断面図である。
【図２】同上の浴槽に背中を立てた姿勢で入浴した場合を示す説明図である。
【図３】同上の浴槽に背中を後方に反らせた姿勢で入浴した場合を示す説明図である。
【図４】同上の浴槽に仰向け姿勢で入浴した場合を示す説明図である。
【図５】本発明の浴室ユニットの平面図である。
【図６】図５のイ−イ線の断面図である。
【図７】図５のロ−ロ線の断面図である。
【図８】本発明において浴室ユニットを仮想分割線で２分割して２つのエリアに分割することを説明する説明図である。
【図９】（ａ）（ｂ）は従来例の平面図である。
【符号の説明】
【００３７】
Ｈ  頭部側
Ｉ  足先側
Ｙ  浴室ユニット
１  浴槽
４  浴槽部
１４  底部
１７  頭部側壁
１８  足先側壁
１９  腰当て部
２０  背凭れ部
２１  下側足裏当て部
２２  足載せ部
２３  上側足裏当て部
【図１】
2007135638.tif 000003
【図２】
2007135638.tif 000004
【図３】
2007135638.tif 000005
【図４】
2007135638.tif 000006
【図５】
2007135638.tif 000007
【図６】
2007135638.tif 000008
【図７】
2007135638.tif 000009
【図８】
2007135638.tif 000010
【図９】
2007135638.tif 000011